【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
印刷装置に対する印刷ジョブのスケジューリングを行う情報処理装置であって、
表示部に、第１および第２の軸で規定される、第１の軸が印刷装置の処理能力を表し第２の軸が印刷時間を表すスケジューリング範囲と、該スケジューリング範囲におけるジョブ要素であって、前記第１の軸に沿った長さが当該ジョブ要素に対応する印刷ジョブの印刷に用いる印刷装置の処理能力に対応し、前記第２の軸に沿った長さが前記印刷ジョブの印刷に用いる印刷装置の処理能力によって当該印刷ジョブの印刷に要する時間に対応したジョブ要素と、を表示させる表示手段、
を具えたことを特徴とする情報処理装置。
【請求項２】
前記表示部に表示する前記ジョブ要素に関する入力を行うための入力操作部と、
前記入力操作部における入力に応じて、前記表示手段に表示された前記ジョブ要素の表示を変更する表示変更手段と、を有し、
前記入力操作部は、前記ジョブ要素の前記第１の軸に沿った長さまたは前記第２の軸に沿った長さを変化させることを可能とし、
前記表示変更手段は、前記入力操作部で入力された該第１の軸または前記第２の軸に沿った長さの変化に応じてそれぞれ前記第２の軸または前記第１の軸の長さを変化させる
ことを特徴とする請求項１に記載の情報処理装置。
【請求項３】
前記表示変更手段は、さらに、前記入力操作部を介した入力に応じて前記ジョブ要素を前記スケジューリング範囲内で移動させることを特徴とする請求項２に記載の情報処理装置。
【請求項４】
前記表示変更手段は、前記印刷ジョブに用いることのできる複数の印刷装置の処理能力の組合せに応じて、前記ジョブ要素の前記第１および第２の軸に沿った長さを変化させることを特徴とする請求項２または３に記載の情報処理装置。
【請求項５】
前記表示手段は、前記ジョブ要素に対応する印刷ジョブのプロパティを表示することを特徴とする請求項１ないし４のいずれかに記載の情報処理装置。
【請求項６】
前記表示手段は、前記ジョブ要素に対応する印刷ジョブの納期を示す納期要素を、前記スケジューリング範囲の前記印刷に要する時間を表す前記第２の軸または前記第１の軸に対応させて表示することを特徴とする請求項１ないし５のいずれかに記載の情報処理装置。
【請求項７】
前記スケジューリング範囲に他の印刷ジョブに対応したジョブ要素が配置されているとき、前記表示変更手段がスケジューリングにかかるジョブ要素を、前記すでに配置されたジョブ要素と重複する範囲に配置することを禁止する第１の禁止手段をさらに具えたことを特徴とする請求項２ないし６のいずれかに記載の情報処理装置。
【請求項８】
印刷ジョブの印刷に用いることのできない印刷装置があるとき、その処理能力に対応した前記スケジューリング範囲内の領域に、前記表示変更手段がスケジューリングにかかるジョブ要素を配置することを禁止する第２の禁止手段をさらに具えたことを特徴とする請求項２ないし７のいずれかに記載の情報処理装置。
【請求項９】
前記スケジューリング範囲において、使用できない印刷装置が発生したとき、その処理能力分の領域に関する特定の表示をするとともに、当該領域に対するジョブ要素の配置を禁止するマスク手段と、
前記使用できなくなった印刷装置を使用していた印刷ジョブ、または、使用する予定だった印刷ジョブに対応するジョブ要素を、他の印刷装置に割り振る割り振り手段と、を有し、
前記表示変更手段は、前記割り振り手段によって割り振ったジョブ要素の少なくとも一部が当該印刷ジョブの納期より後の時刻に配置されるとき、前記印刷に要する時間に対応する前記第２の軸または前記第１の軸の方向において、前記納期を超えない範囲となるように、当該印刷ジョブの印刷に用いる処理能力に対応する長さを変更することを特徴とする請求項２ないし８のいずれかに記載の情報処理装置。
【請求項１０】
前記マスク手段は、印刷装置が回復して使用可能になったとき、当該印刷装置の処理能力分の、前記特定の表示を解除することを特徴とする請求項９に記載の情報処理装置。
【請求項１１】
前記回復して使用可能になった印刷装置について、当該使用できない状態が発生する以前にその印刷装置を使用していた印刷ジョブに対応するジョブ要素を、前記使用可能となった印刷装置の処理能力を含む状態で割り振る再割り振り手段をさらに具えたことを特徴とする請求項１０に記載の情報処理装置。
【請求項１２】
印刷装置に対する印刷ジョブのスケジューリングを行うための情報処理方法であって、
表示部に、第１および第２の軸で規定される、第１の軸が印刷装置の処理能力を表し第２の軸が印刷時間を表すスケジューリング範囲と、該スケジューリング範囲におけるジョブ要素であって、前記第１の軸に沿った長さが当該ジョブ要素に対応する印刷ジョブの印刷に用いる印刷装置の処理能力に対応し、前記第２の軸に沿った長さが前記印刷ジョブの印刷に用いる印刷装置の処理能力によって当該印刷ジョブの印刷に要する時間に対応したジョブ要素と、を表示させる工程、
を有したことを特徴とする情報処理方法。
【請求項１３】
前記表示工程で表示する前記ジョブ要素に関する入力を行うための入力操作工程と、
前記入力操作部における入力に応じて、前記表示手段に表示された前記ジョブ要素の表示を変更する表示変更工程と、を有し、
前記入力操作工程は、前記ジョブ要素の前記第１の軸に沿った長さまたは前記第２の軸に沿った長さを変化させることを可能とし、
前記表示変更工程は、前記入力操作工程で入力された該第１の軸または前記第２の軸に沿った長さの変化に応じてそれぞれ前記第２の軸または前記第１の軸の長さを変化させる
ことを特徴とする請求項１２に記載の情報処理方法。
【請求項１４】
前記表示変更工程は、さらに、前記入力操作部を介した入力に応じて前記ジョブ要素を前記スケジューリング範囲内で移動させることを特徴とする請求項１３に記載の情報処理方法。
【請求項１５】
前記表示変更工程は、前記印刷ジョブに用いることのできる複数の印刷装置の処理能力の組合せに応じて、前記ジョブ要素の前記第１および第２の軸に沿った長さを変化させることを特徴とする請求項１３または１４に記載の情報処理方法。
【請求項１６】
前記表示工程は、前記ジョブ要素に対応する印刷ジョブのプロパティを表示することを特徴とする請求項１２ないし１５のいずれかに記載の情報処理方法。
【請求項１７】
前記表示工程は、前記ジョブ要素に対応する印刷ジョブの納期を示す納期要素を、前記スケジューリング範囲の前記印刷に要する時間を表す前記第２の軸または前記第１の軸に対応させて表示することを特徴とする請求項１２ないし１６のいずれかに記載の情報処理方法。
【請求項１８】
前記スケジューリング範囲に他の印刷ジョブに対応したジョブ要素が配置されているとき、前記表示変更工程がスケジューリングにかかるジョブ要素を、前記すでに配置されたジョブ要素と重複する範囲に配置することを禁止する第１の禁止工程をさらに具えたことを特徴とする請求項１３ないし１７のいずれかに記載の情報処理方法。
【請求項１９】
印刷ジョブの印刷に用いることのできない印刷装置があるとき、その処理能力に対応した前記スケジューリング範囲内の領域に、前記表示変更工程がスケジューリングにかかるジョブ要素を配置することを禁止する第２の禁止工程をさらに有したことを特徴とする請求項１３ないし１８のいずれかに記載の情報処理方法。
【請求項２０】
前記スケジューリング範囲において、使用できない印刷装置が発生したとき、その処理能力分の領域に関する特定の表示をするとともに、当該領域に対するジョブ要素の配置を禁止するマスク工程と、
前記使用できなくなった印刷装置を使用していた印刷ジョブ、または、使用する予定だった印刷ジョブに対応するジョブ要素を、他の印刷装置に割り振る割り振り工程と、を有し、
前記表示変更工程は、前記割り振り手段によって割り振ったジョブ要素の少なくとも一部が当該印刷ジョブの納期より後の時刻に配置されるとき、前記印刷に要する時間に対応する前記第２の軸または前記第１の軸の方向において、前記納期を超えない範囲となるように、当該印刷ジョブの印刷に用いる処理能力に対応する長さを変更することを特徴とする請求項１３ないし１９のいずれかに記載の情報処理方法。
【請求項２１】
前記マスク工程は、印刷装置が回復して使用可能になったとき、当該印刷装置の処理能力分の、前記特定の表示を解除することを特徴とする請求項２０に記載の情報処理方法。
【請求項２２】
前記回復して使用可能になった印刷装置について、当該使用できない状態が発生する以前にその印刷装置を使用していた印刷ジョブに対応するジョブ要素を、前記使用可能となった印刷装置の処理能力を含む状態で割り振る再割り振り工程をさらに有したことを特徴とする請求項２１に記載の情報処理方法。
【請求項２３】
印刷装置に対する印刷ジョブのスケジューリングを行うための情報処理を実行するためのプログラムであって、情報処理装置に、
表示部に、第１および第２の軸で規定される、第１の軸が印刷装置の処理能力を表し第２の軸が印刷時間を表すスケジューリング範囲と、該スケジューリング範囲におけるジョブ要素であって、前記第１の軸に沿った長さが当該ジョブ要素に対応する印刷ジョブの印刷に用いる印刷装置の処理能力に対応し、前記第２の軸に沿った長さが前記印刷ジョブの印刷に用いる印刷装置の処理能力によって当該印刷ジョブの印刷に要する時間に対応したジョブ要素と、を表示させる工程、
を実行させることを特徴とするプログラム。
【請求項２４】
印刷装置に対する印刷ジョブのスケジューリングを行うための情報処理を実行するためのプログラムを記憶した情報処理装置読み取り可能な記憶媒体であって、該情報処理装置に、
表示部に、第１および第２の軸で規定される、第１の軸が印刷装置の処理能力を表し第２の軸が印刷時間を表すスケジューリング範囲と、該スケジューリング範囲におけるジョブ要素であって、前記第１の軸に沿った長さが当該ジョブ要素に対応する印刷ジョブの印刷に用いる印刷装置の処理能力に対応し、前記第２の軸に沿った長さが前記印刷ジョブの印刷に用いる印刷装置の処理能力によって当該印刷ジョブの印刷に要する時間に対応したジョブ要素と、を表示させる工程、
を実行させるプログラムを記憶したことを特徴とする記憶媒体。